(57)【特許請求の範囲】
【請求項１】
衣類などの洗濯物を識別する装置であって、この装置は衣類などの洗濯物に取り付けるための容器４と、この容器４に収納されたデータキャリヤー２で構成され、前記データキャリヤ−２は、半導体素子１２とアンテナ１１を有し、この半導体素子１２は前記アンテナ１１に電気的に接続され、このアンテナ１１から受信した送信指令信号が与えられると、予め入力された識別信号をこのアンテナ１１に出力する集積回路からなり、
前記アンテナ１１は、耐水・耐溶剤性を有する加撓性樹脂フイルムからなる加撓性プリント配線基板１０の片面にプリント配線によって形成され、このアンテナ１１と半導体素子１２とが電気的に接続されており、更に前記アンテナ１１と半導体素子１２を覆って耐水・耐溶剤性を有する加撓性樹脂フイルム１３をラミネートにより密封して前記データキャリヤー２を１枚の薄片状に形成され、また、前記容器４はフイルムで製造されていることを特徴とする衣類などの洗濯物の識別装置。
【請求項２】
前記容器４は布製の袋であり、紐、クリップ、合成樹脂製タグピンから選ばれた一つで衣類などに着脱自在に固定されることを特徴とする請求項１記載の衣類などの洗濯物の識別装置。
【発明の詳細な説明】
【０００１】
【発明が属する技術分野】
本発明は、衣類などの識別装置に関し、更に詳細には、例えば洗濯業者が、多数の病院など顧客から洗濯物を集荷し、洗濯した後、それぞれ持ち主に返却する業務を能率的に行うことができる衣類などの識別装置に関するものである。
【０００２】
【従来の技術】
例えば、病院などの出入りの洗濯業者は、シーツ、白衣などを洗濯受託された際に、集荷した病院、依頼日、依頼主などを識別する印を着け、洗濯終了後の返却などの管理に役立ていることは周知である。また病院側は、白衣の裏に持ち主の名前などをペンで記入して管理している。
【０００３】
【発明が解決しようとする課題】
ところで、印の取りつけ、仕分けなどを手作業に頼っていたのでは、効率が悪く、しかも間違い発生などの防止が困難であるという問題がある。また、病院側も何回ぐらい使用したか、何時導入したものか、誰のものかなどを管理する希望が強い。
【０００４】
本発明は、以上の問題に着目して成されたものであり、例えばシーツ、白衣などを自動的に識別可能とし、大量の洗濯物を扱う際の仕分け作業などの効率化を図った衣類などの識別装置を提供することを目的としている。
【０００５】
【課題を解決するための手段】
前記目的を達成するための本発明に係る衣類などの洗濯物の識別装置は次のように構成されている。
１．衣類などの洗濯物を識別する装置であって、この装置は衣類などの洗濯物に取り付けるための容器４と、この容器４に収納されたデータキャリヤー２で構成され、前記データキャリヤ−２は、半導体素子１２とアンテナ１１を有し、この半導体素子１２は前記アンテナ１１に電気的に接続され、このアンテナ１１から受信した送信指令信号が与えられると、予め入力された識別信号をこのアンテナ１１に出力する集積回路からなり、
前記アンテナ１１は、耐水・耐溶剤性を有する加撓性樹脂フイルムからなる加撓性プリント配線基板１０の片面にプリント配線によって形成され、このアンテナ１１と半導体素子１２とが電気的に接続されており、更に前記アンテナ１１と半導体素子１２を覆って耐水・耐溶剤性を有する加撓性樹脂フイルム１３をラミネートして密封して前記データキャリヤー２を１枚の薄片状に形成され、また、前記容器４はフイルムで製造されていることを特徴としている。
２．前記容器４は布製の袋であり、紐、クリップ、合成樹脂製タグピンから選ばれた一つで衣類などに着脱自在に固定されることを特徴としている。
【０００６】
前記衣類などとは、白衣その他の衣類、シーツなどの布を主体にした製品を意味する。
前記アンテナは、プリント配線、所定太さの電線による配線など、適宜の手段で形成することができ、プリント配線によってアンテナを形成する場合には、可撓性プリント配線基板上にプリントすることか好ましい。
【０００７】
前記フィルム製容器のフィルム材には特に限定はないが、例えば布を使用することができる。即ち、布によって袋状の容器としたものを使用することができる。しかしながら、本発明は、布に限定されず、樹脂、不織布、これらをラミネートした複合物など適宜使用することができる。
フィルム製容器の形状は、特に限定されないが、例えば、中央部を２重に製織し袋状とした布を用いることができる。また、フィルム製容器にデータキャリヤーを入れる手段は、前記容器を袋部に設けたスリットから入れるようにしてもよく、また、長尺の筒状に形成したものを所定長さに切り分け、データキャリヤーを中に入れ、両端開口部を接着、縫い着けなどで封止するなどとすることもできる。
【０００８】
前記データキャリヤー及びアンテナを取り着けた衣類などは水洗い、ドライクリーニングなど洗濯されるため、耐水・耐溶剤性を有する可撓性樹脂によって密封することが好ましい。また、前記可撓性プリント配線基板を、耐水性・耐溶剤性樹脂によって形成すると、前記密封用樹脂として兼用させることができ、経済性が得られる。
【０００９】
本発明の識別装置を衣類などに固着する手段は、縫い着けなどの手段が好ましいが、本発明はこれに限定されず、クリップ、紐、樹脂製タグピンなどで固着して着脱容易とすることもできる。なお、本発明を適用する衣類には特に限定はなく、前記例示したシーツ、白衣のほか、洗濯業者、その他において大量に扱う各種繊維製品に適用することができる。
【００１０】
【発明の実施の形態】
以下添付の図面を参照し、一実施の形態により本発明を具体的に説明する。
図１に示す本実施の形態の衣類の識別装置は、本発明に係わる衣類１として白衣を用いたものであり、データキャリヤー２は、白衣の衿下３に固定した。この固定部分は、一般に販売元などを表示する織ネームからなるフィルム製容器４を取付ける部分であり、本実施の形態の場合も、これら従来の取付け方法と同様に取付けたものである。但し、本考案のデータキャリヤー２の取りつけ位置は、図１の位置に限定されず、必要に応じ適宜の位置を選定することができる。
【００１１】
本実施の形態のフィルム製容器４は、布製のものであり、図２〜４に示したとおり、所定長さごとに中央部が２重で、幅方向両側の耳部６及び長手方向両側の耳部７を１重となるように織成したものを、切り分けて使用した。そして、表面の前記２重部分の布の一部を切り、スリット８を形成し、ここからデータキャリヤー２を出し入れできるようにした。
【００１２】
なお、スリット８は図２に示すように幅方向方向に切るのでもよく、また長手方向に切ってもよい。また、前記フィルム製容器４を融点を有する合成繊維によって形成した場合には、スリット８の切り口を融着又は製織させて糸のほつれを防止することが好ましい。
フィルム製容器４は、長手方向両耳部７を裏側に折曲げ（図３）、図１に示すように白衣の衿下３に縫い着けた。なお、図２の２点鎖線部分及び図３の矢印部分に示す符号９は、縫着け部分を示す。なお本実施の形態では、縫着け部分９を長手方向両耳部７を裏側に折曲げた部分としたが、例えば長手方向両耳部７を所定部分で切り、熱融着その他の手段でほつれを防止し、１重のまま縫い着けることもできる。
【００１３】
データキャリヤー２の概要を図５，６によって説明する。データキャリヤー２は、耐水・油性樹脂からなる可撓性プリント配線基板１０上にプリント配線によって形成したアンテナ１１と、該アンテナ１１と電気的に接続（図示せず）した半導体素子（ＩＣチップ）１２からなり、アンテナ１１に半導体素子１２を取付けた側の面に耐水・油性樹脂からなる可撓性フィルム１３をラミネートして電気回路部分を密封したものである。なお前記したように、アンテナは電線によって形成することもできる。
【００１４】
本実施の形態に使用したフィルム製容器４の大きさは長さ約７０ｍｍ、幅約３０ｍｍ、データキャリヤー２の大きさは長さ約５７ｍｍ、幅約１１ｍｍ、アンテナ１１の長手方向の長さ約５２ｍｍ、半導体素子の１辺の長さ約２ｍｍのものを使用した。なお、以上説明した形状、大きさなどは、必要に応じ変形して実施することができる。
【００１５】
半導体素子１２に形成した集積回路（図示せず）は、非接触型ＩＣカードなどと同様のものであり、中央処理装置（ＣＰＵ）により制御される送受信回路、識別記号を記憶する読出し専用メモリなどからなり、データキャリヤー２を読み出し装置（図示せず）に近着け、送受信回路が、前記読出し装置が発信した識別記号送信指令を受信すると、中央処理装置は前記読出しメモリから予め入力した識別記号を読み出し送受信回路に出力し、アンテナ１１から送信するようにした。
【００１６】
前記識別記号は、所定桁からなる２値記号のランダム記号列であってもよく、複数の文字、数字からなる記号又はコードを、一定のルールに基づいて同じ記号が生じないように決定した記号列であってもよい。要は、別の衣類に同じ識別記号が着けられることが防止できればよい。
以上のように形成した本実施の形態の衣類の識別装置は、白衣などの衣類１に一旦取付けることにより、例えば洗濯業者は、該衣類１の識別記号を読み取り、記録するのみで、依頼主、集荷店舗、集荷日時、工程などの諸管理、配送・受渡しなどを能率的且つ的確に行うことができる。また、工場、病院などで支給・管理する作業着の場合には、着用者、支給日、支給後の繕い、廃棄などの管理が可能となるなど、各種の利用形態を実施できる。
【００１７】
以上説明の実施の形態では、衣類と一体的に取付けたものであるが、例えば、識別装置を入れた袋を、洗濯を依頼された際に、紐、クリップ、樹脂製タグピンなどで衣類に取付け、持ち主に戻す際に取り外すなどとすることもできる。
更に、以上説明した実施の形態は衣類について説明したものであるが、本発明は、前記以外の衣類や、シーツなど衣類以外の任意の布製品について実施することができる。
【００１８】
【発明の効果】
以上説明した本発明の衣類などの識別装置は、非接触的に識別記号を読みだす識別装置を衣類などに取付けるようにしたので、類似の衣類などを大量に取り扱う洗濯業者、その他の機関において衣類などの識別、管理の自動化、能率化に著しく役立てることができる。
【図面の簡単な説明】
【図１】本発明の一実施の形態の識別装置を、衣類に取付けた一例を示す要部正面図である。
【図２】図１に示す識別装置の平面図である。
【図３】図２のＩＩＩ−ＩＩＩ  線断面図である。
【図４】図２のＩＶ−ＩＶ線断面図である。
【図５】図１〜３に示すデータキャリヤーを一部省略して示した拡大平面図である。
【図６】図５のＶＩ−ＶＩ線断面図である。
【符号の説明】
１  衣類                          ２  データキャリヤー
４  フィルム製容器１０              １０  アンテナ
１１  可撓性プリント配線基板        １２  半導体素子（ＩＣチップ）
【図１】
0003599550.tif 000002
【図２】
0003599550.tif 000003
【図３】
0003599550.tif 000004
【図４】
0003599550.tif 000005
【図５】
0003599550.tif 000006
【図６】
0003599550.tif 000007